(57)【要約】【課題】天板を支持体に載せ置く際の位置決めを容易にすることができ、各部の損傷を招かないようにした天板付家具を提供する。【解決手段】天板３を支持体２に載せ置いたスライド始端位置Ｐと支持体２に固定すべきスライド終端位置Ｑとの間で支持体２に対して相対的にスライド移動させるスライド係合機構５とを具備する天板付家具１において、支持体２に、天板３の少なくとも一端側に対応させて天板３の下面３Ｂよりも上方へ突出させた位置決め部材を設け、天板３を支持体２に載せ置く際に該天板３の一端を位置決め部材に当接させた位置を天板３のスライド始端位置Ｐと合致させるように構成した。【選択図】図８
2004230082.tif 000002
【特許請求の範囲】
【請求項１】
天板と、自立性を有し天板を支持する支持体と、天板を支持体に載せ置いたスライド始端位置と支持体に固定すべきスライド終端位置との間で支持体に対して相対的にスライド移動させるスライド係合機構とを具備するものであって、
前記支持体に、天板の少なくとも一端側に対応させて天板の下面よりも上方へ突出させた位置決め部材を設け、天板を支持体に載せ置く際に該天板の一端を前記位置決め部材に当接させた位置を天板のスライド始端位置と合致させるように構成していることを特徴とする天板付家具。
【請求項２】
位置決め部材を、天板の反使用縁側に配置し、天板を支持体に載せ置く際に該天板の反使用縁を位置決め部材に当接させるようにしている請求項１記載の天板付家具。
【請求項３】
天板が、所定角度をなして屈曲する二辺からなる反使用縁を有する異形天板であり、該異形天板の反使用縁を構成する二辺に対応する位置にそれぞれ前記位置決め部材を配置している請求項２記載の天板付家具。
【請求項４】
前記異形天板が、平面視Ｌ字形をなすものである請求項３記載の天板付家具。
【請求項５】
支持体を、異形天板の両側端部をそれぞれ支持する一対の端部支持部材と、異形天板の反使用縁を構成する二辺が交差するコーナー部に配置されるコーナー脚と、各端部支持部材をコーナー脚に連結するフレーム部材とを具備するものとし、これら端部支持部材によって異形天板の両側端部を同時に支持するようにしている請求項３又は４記載の天板付家具。
【請求項６】
一対の端部支持部材の一方または双方が、引出しを備えた袖構造体である請求項５記載の天板付家具。
【請求項７】
位置決め部材が、支持体に起立姿勢で天板の反使用縁側に設けられた背面パネルである請求項２、３、４、５又は６記載の天板付家具。
【請求項８】
スライド係合機構が、天板又は支持体の一方に設けた突出部と、この突出部を挿入すべく他方に設けた係合孔とを具備し、スライド始端位置で天板を支持体に載せ置いた際に突出部の突出端側を係合孔に挿入し、天板のスライド終端位置で突出部を係合孔に上動不能に係り合わせるようにしている請求項１、２、３、４、５、６又は７記載の天板付家具。
【請求項９】
スライド係合機構を、支持体に設けた前記突出部たる段付ピンと、この段付ピンを挿入すべく係合部材に設けた前記係合孔たるダルマ孔とを具備するものとし、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置にある小孔側に引き込んで上下方向に係り合わせるようにしている請求項８記載の天板付家具。
【請求項１０】
天板と、自立性を有し天板を支持する支持体と、天板を支持体に載せ置いたスライド始端位置と支持体に固定すべきスライド終端位置との間で支持体に対して相対的にスライド移動させるスライド係合機構とを具備するものであって、
前記支持体に、天板の縁部のうち少なくとも二点以上に対応させて天板の下面よりも上方へ突出させた位置決め部材を設け、天板を支持体に載せ置く際に該天板の縁部を前記位置決め部材に当接させた位置を天板のスライド始端位置と合致させるように構成していることを特徴とする天板付家具。
【発明の詳細な説明】
【０００１】
【発明の属する技術分野】
本発明は、天板の取付作業を好適に行うことができる天板付家具に関するものである。
【０００２】
【従来の技術】
従来より、天板を脚や袖構造体等の支持体に装着するに際して、天板を支持体に載せ置いた位置から所定方向へスライドさせ、そのスライドの終端位置で天板を支持体に固定するような構成を有する天板付家具が考えられている。このようなものとしては、例えば、天板の下面における反使用縁部にダルマ孔を形成する一方で、それに対応する支持体の上端部に上方へ突出させた段付ピンを設けておき、段付ピンの頭部がダルマ孔の大径部に挿入された位置で天板を支持体に載せ置き、その位置をスライド始端位置として天板を前方へ引き出すことによって段付ピンをダルマ孔の小径部へと移動させ、段付ピンと小径部とが上下方向に係り合って天板が上動不能となった位置をスライド終端位置として、その位置で天板を支持体にネジ止めするように構成したものが挙げられる（例えば、特許文献１参照）。
【０００３】
【特許文献１】
特開平１１−１６４７３９号公報（図９等）
【０００４】
【発明が解決しようとする課題】
ところが、このような構成のものであると、天板を支持体に載せ置く際には目標となるべきものが何も存在せず、天板のスライド始端位置への位置決めが極めて難しい。したがって、現実の操作では、天板の下面を段付ピンの頭部上面に載せ置いた状態で段付ピンがダルマ孔の大径部に挿入される位置を手探りで探し出し、段付ピンの頭部が大径部の開口を通過したところで一挙に天板が位置決めされることとなっていた。このような天板の位置決めの困難さは、天板が大型で重重量になるほど顕著であり、また、矩形天板よりも異形天板の方が顕著であって、段付ピンやダルマ孔の損壊、天板や支持体の損傷の原因ともなり得る。
【０００５】
そこで本発明は、以上のような問題に鑑みて、天板を支持体に載せ置く際の位置決めを容易にすることができ、各部の損傷を招かないようにした天板付家具を提供しようとするものである。
【０００６】
【課題を解決するための手段】
すなわち、本発明の天板付家具は、自立性を有し天板を支持する支持体と、天板を支持体に載せ置いたスライド始端位置と支持体に固定すべきスライド終端位置との間で支持体に対して相対的にスライド移動させるスライド係合機構とを具備するものであって、支持体に、天板の少なくとも一端側に対応させて天板の下面よりも上方へ突出させた位置決め部材を設け、天板を支持体に載せ置く際に該天板の一端を前記位置決め部材に当接させた位置を天板のスライド始端位置と合致させるように構成していることを特徴としている。
【０００７】
このような天板付家具であると、天板を支持体に載せ置く際には、天板の一端部を位置決め部材に当てることで少なくともその端部側においては天板のスライド始端位置への位置決めがなされることになる。このように位置決めがなされると、スライド係合機構によって天板をスライドの終端位置まで簡単に移動させることができる。したがって、天板を持ったままスライド始端位置を無目標に探る必要がなく、目視と操作感とによって天板を配置すべき位置が容易に分かり、スライド係合機構の機構部品や天板自体あるいは支持体の損傷を防止しつつ、天板の取り付けのための作業性を著しく向上することができる。ただし、位置決め部材は、少なくとも支持体において天板の一端側に設けてあればよく、例えば天板の他の端部側にも位置決め部材を設けることができるのは勿論である。このようにすると、天板を支持体に載置する際には、二方向以上においての天板のスライド始端位置への位置決めを容易に行うことができる。また本発明では、天板の形状が、一般的な平面視矩形のものに限らず、例えば平面視Ｌ字形、扇形等の異形天板の場合も同様のメリットが得られる。さらに、天板のスライド移動方向は、天板が位置決め部材から漸次離間する方向となるのはいうまでもない。
【０００８】
特に位置決め部材を、天板の反使用縁側に配置していると、天板を支持体に載せ置く際に該天板の反使用縁を位置決め部材に当接することになって、スライド始端位置への天板の位置決めが容易となる。
【０００９】
天板が、所定角度をなして屈曲する二辺からなる反使用縁を有する異形天板である場合、この異形天板を支持体に取り付ける際にスライド始端位置へ確実に位置決めするためには、異形天板の反使用縁を構成する二辺に対応する位置にそれぞれ前記位置決め部材を配置するとよい。すなわち、異形天板の反使用縁を構成する二辺は一直線状にはなく異なる角度をなしているので、これら二辺を対応する各位置決め部材に同時に当接させることで、天板のスライド始端位置への位置決めが一挙にできることとなる。また、位置決め部材は異形天板の反使用縁側にあるため、側端部に天板に対する障害物を存在させず、複数の天板を、側端部同士を当接させて配置することもできる。特に異形天板としては、使用縁側も異なる角度をなす二辺からなる平面視Ｌ字形をなすものを適用してもよい。
【００１０】
また、以上のような異形天板を有する天板付家具の場合、支持体を、異形天板の両側端部をそれぞれ支持する一対の端部支持部材と、異形天板の反使用縁を構成する二辺が交差するコーナー部に配置されるコーナー脚と、各端部支持部材をコーナー脚に連結するフレーム部材とを具備するものとし、これら端部支持部材によって異形天板の両側端部を同時に支持するように構成することで、スライド始端位置への天板の位置決めと同時に、歪みが生じやすいコーナー脚と各フレーム部材との連結部分の矯正を行うことができる。
【００１１】
安定した自立性を有する端部支持部材の一例としては引出しを備えた袖構造体が挙げられ、一対の端部支持部材の一方または双方をこの袖構造体とすることができる。
【００１２】
また、位置決め部材として好適なものには、支持体に起立姿勢で天板の反使用縁側に設けられた背面パネルを挙げることができる。このような背面パネルを位置決め部材として利用すると、天板の反使用縁を背面パネルと面同士で当接させることができるため、天板のより確実な位置決めが可能となる。
【００１３】
スライド係合機構として好適なものには、天板又は支持体の一方に設けた突出部と、この突出部を挿入すべく他方に設けた係合孔とを具備し、スライド始端位置で天板を支持体に載せ置いた際に突出部の突出端側を係合孔に挿入し、天板のスライド終端位置で突出部を係合孔に上動不能に係り合わせるように構成したものが挙げられる。
【００１４】
より詳細には、スライド係合機構を、支持体に設けた前記突出部たる段付ピンと、この段付ピンを挿入すべく係合部材に設けた前記係合孔たるダルマ孔とを具備するものとし、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置にある小孔側に引き込んで上下方向に係り合わせるように構成することが好適である。
【００１５】
その他、本発明は、円形、楕円形等の無端形状の天板にも適用可能である。具体的には、支持体に、天板の縁部のうち少なくとも二点以上に対応させて天板の下面よりも上方へ突出させた位置決め部材を設け、天板を支持体に載せ置く際に該天板の縁部を前記位置決め部材に当接させた位置を天板のスライド始端位置と合致させるように構成するとよい。このような天板付家具の構成は、無端形状の天板のみならず、矩形天板、扇形天板、Ｌ字形天板等に適用できるのは勿論である。
【００１６】
【発明の実施の形態】
以下、本発明の一実施形態を、図面を参照して説明する。
【００１７】
この実施形態の天板付家具１は、図１に示すように支持体２に異形天板３を載せ置き、この異形天板３を支持体２に対し図８に矢印で示すように相対的にスライド移動させることによって、異形天板３の少なくとも２箇所を支持体２の対応部位に、その間に介在させたスライド係合機構５を介して同時に接続するようにしたものである。
【００１８】
図１に示す支持体２は、主たる支持要素である袖構造体４と、補助的な支持要素であるコーナー脚６とを具備する。袖構造体４は、図１、図２、図４、図５及び図６等に示すように、上壁４Ａ、底壁４Ｂ、側壁及４Ｃ及び背壁４Ｄによって５面を閉止し前面側を開口させた収納空間を形成してなる筐体４０と、この筐体４０の収納空間に出し入れ可能に収容される上下３組の引出し４Ｅ１，４Ｅ２，４Ｅ３とを備えた自立性のあるものである。背壁４Ｄには、後上方に向けて突出するオプション取付部材４Ｆが取り付けてある。コーナー脚６は、図１に示すように角パイプ状のもので、直交２面における前記オプション取付部材４Ｆの対応位置にオプション取付部材６Ｆを有している。そして、一対の袖構造体４を所定角度（９０°）向きを変えて離間配置し、かつコーナー脚６の直交２面のうちの各面が各々最寄の袖構造体４の背壁４Ｄとそれぞれ面一となる位置に配置して、各袖構造体４とコーナー脚６と上端部間にそれぞれ角パイプ状のフレーム部材７を架け渡して固定することにより、これら一対の袖構造体４とコーナー脚６とを相互に接続して構造物として一体化している。また、この実施形態は、前記オプション取付部材４Ｆ、６Ａを利用して、図１、図８、図９等に示すように、異形天板３の反使用縁３ｂの２辺３ｂ１，３ｂ２にそれぞれ位置決め部材たる背面パネル９を取り付け、またコーナー部にコーナーボックス１０を取り付けるようにしている。
【００１９】
一方、異形天板３は、図２、図３、図８等に示すように、前記一対の袖構造体４及びコーナー脚６の上方をほぼ覆う大きさの平面視Ｌ字形をなす木製のものである。反使用縁３ｂは相互に直交する２辺３ｂ１、３ｂ２からなり、各辺３ｂ１、３ｂ２の中間部やコーナー部等には、それぞれ使用縁３ａ側に凹む凹所３Ｃ、３Ｄが設けてある。これら凹所３Ｃ，３Ｄは、上述した背面パネル９を取り付けたことにより、異形天板３と背面パネル９の壁面９Ｂとの間に配線類を落とし込むための空間として機能する。また、この異形天板３の使用縁３ａ側は、袖構造体４に支持される端部領域が対応する反使用縁３ｂの辺と平行をなし、コーナー脚６と対面する中央領域はコーナー脚６側に向けて大きく抉った形状をなし、これら中央領域と端部領域との間が滑らかに連続させてある。このような異形天板形状は、主として中央領域に着座した者が、コーナー部にＰＣのモニターやキーボード等を無理なく有効活用でき、また、左右両側に位置する天板面３Ａをサイドデスク的に有効利用できる環境を提供するためのものである。しかしてこの異形天板３は、反使用縁３ｂの直交２辺がなす内角を２等分する直線を境にして、平面視左右対称形状をなしている。
【００２０】
そして、本実施形態は前記スライド係合機構５を、袖構造体４の上壁４Ａに取り付けた天板取付部材５Ａと、天板３の下面３Ｂに取り付けた係合部材５Ｂとの間に構成している。
【００２１】
天板取付部材５Ａは、図１〜図６等に示すように、袖構造体４の上壁４Ａの内側に収まる平面形状をなす底板５Ａ１と、この底板５Ａ１の左右両縁より起立する起立片５Ａ２及び前縁より起立する起立片５Ａ４とを具備するスチール製のもので、左右の起立片５Ａ２の前後２箇所に、起立端から相寄る向きに水平片５Ａ３を形成し、前側の起立片５Ａ４にも前方へ突出させた水平片５Ａ５を形成している。一方、係合部材５Ｂは、図１〜図３並びに図７等に示すように、底板５Ｂ１及び起立片５Ｂ２によってチャネル構造をなしその起立端から相離れる向きに取付片５Ｂ３を突出させてなるもので、この係合部材５Ｂを異形天板３の下面３Ｂに対して、当該異形天板３の所定取付位置において前記袖構造体４の天板取付部材５Ａに対向することとなる部位に取り付けている。この係合部材５Ｂは、その長手方向を天板３の反使用縁３ｂ側の辺に平行な方向（換言すれば、袖構造体４の幅方向、引出し４Ｅ１、４Ｅ２，４Ｅ３の出し入れと直交する方向）に合致させて配置される。
【００２２】
そして、天板取付部材５Ａの底壁５Ａ１における後端部側に左右一対の取付孔（図示省略）を設けて突出部たる段付ピン８を上方からねじ込んで取り付ける一方、係合部材５Ｂの底板５Ｂ１に前記一対の取付孔と同一ピッチで長手方向２箇所に係合孔たるダルマ孔５Ｂ４を形成して、異形天板３のスライド始端位置Ｐで異形天板３を袖構造体４に載せ置いた際に図７（ａ）に想像線で示すように段付ピン８の突出端側の頭部８１をダルマ孔５Ｂ４の大径な挿脱口５Ｂ４１に挿入し、異形天板３のスライド終端位置Ｑで前記頭部８１を同図（ｂ）、（ｃ）、（ｄ）に示すように前記挿脱口５Ｂ４の隣接位置に設けた規制部たる小孔５Ｂ４２、５Ｂ４３の何れか一方に引き込んで上下方向に係り合わせるようにしている。小孔５Ｂ４２，５Ｂ４３は段付ピン８の軸部８２よりも開口が大きく頭部８１よりも開口が小さく設定されており、挿脱口５Ｂ４１の略中心から小孔５Ｂ４２，５Ｂ４３の略終端までの距離は、異形天板３をスライド移動させる距離に対応している。
【００２３】
その際、この天板付家具１が異形天板３を２箇所において支持すべく袖構造体４を所定角度（９０°）向きを変えて配置していることより、袖構造体４に取り付ける天板取付部材５Ａや異形天板３の対応部位に取り付ける係合部材５Ｂの配置方向も図１、図２、図９等に明らかなように同一角度（９０°）異なってくる。そこで、このような状況下においても、これら天板取付部材５Ａや支持部材５Ｂを各袖構造体４に共通部材として使用して袖構造体４の段付ピン８と異形天板３側のダルマ孔５Ｂ４との係合を有効に実現することができるように、且つそのスライド係合を均等に行うことができるように、係合部材５Ｂに設けるダルマ孔５Ｂ４の形状及び向きに工夫を凝らしている。
【００２４】
先ず、この実施形態は、スライド移動方向を、図８に示すように異形天板３の使用縁３ａや反使用縁３ｂの内角を二等分する二等分線方向（４５°方向）に設定する。使用縁３ａの内角は直線をなす端部領域の角度に相当する。これは、スライド係合機構５が所定角度（９０°）をなして平面視ハの字形に一対に配置されている点に着目すれば、スライド移動方向は前記両スライド係合機構５のなす角を二等分する二等分線方向であるとも言える。そして、そのために必要な要件として、着座者から見て右側の袖４構造体の対応部位に位置する係合部材５Ｂのダルマ孔５Ｂ４と、左側の袖構造体４の対応部位に位置する係合部材５Ｂのダルマ孔５Ｂ４とは、ともに挿脱口５Ｂ４１から前記二等分線方向に向いている必要がある。そこで、本実施形態は図３、図７、図８等に示すように、係合部材５Ｂのダルマ孔５Ｂ４に９０°異なる方向にもう１つ小孔５Ｂ４３を設けた二股形状を採用し、この係合部材５Ｂを９０°回転させて左側の係合部材５Ｂとして配置したときに、そのもう一つの小孔５Ｂ４３を前記二等分線方向を向かせるようにしている。
【００２５】
また、この天板付家具１は、異形天板３をスライド始端位置Ｐに誘導する位置決め機能と、異形天板３をスライド終端位置Ｑに固定する固定機能とを備えている。位置決め機能は、前記背面パネル９やコーナーボックス１０を利用することによって働くもので、図８に想像線で示すように、異形天板３の反使用縁３ｂ側のコーナー部及び２辺３ｂ１，３ｂ２をコーナーボックス１０や背面パネル９の前面９Ｂに突き当てることをもって、左右の袖構造体４におけるダルマ孔５Ｂ４の挿脱口５Ｂ４１と段付ピン８とが合致する位置決めがなされるように設定している。段付ピン８が挿脱口５Ｂ４１に挿入されると、異形天板３の天板面３Ａが沈み込んで背面パネル９の上端９Ａと略同一高さとなるようにして、目視と操作感によってスライド操作の準備ができたことを確認できるようになっている。また、固定機能は、図１〜図３等に示すように、前記袖構造体４の上壁４Ａに設けた天板取付部材５Ａの前端側における起立片５Ａ４と、異形天板３の下面３Ｂの対応部位に設けた垂下片１１Ａを有する被固定部材１１との協働作用により働くもので、異形天板３をスライド終端位置Ｑまで移動させたとき、起立片５Ａ４と垂下片１１Ａとが突き当たるか若しくは近接して対面する位置関係にそれらを設定している。そして、袖構造体４の前端側から固定部材の起立片５Ａ４にねじ１１Ｂを挿し通して被固定部材１１の垂下片１１Ａに締めこむことによって、異形天板３をそのスライド終端位置Ｑに固定するようにしている。
【００２６】
次に、この実施形態における異形天板３の支持体２への取付手順について説明する。
【００２７】
先ず、異形天板３を、本来固定すべき位置よりも後方に変位させて支持体２に載せ置く。このとき、図８に想像線で示すように異形天板３の反使用縁３ｂを構成する２辺３ｂ１，３ｂ２ないし反使用縁３ｂ側のコーナー部を背面パネル９の前面９Ｂないしコーナーボックス１０に突き当てれば、ダルマ孔５Ｂ４の挿脱口５Ｂ４１と段付ピン８とを合致させるスライド始端位置Ｐに位置決めがなされ、載せ置いて異形天板３が沈み込んだときに段付ピン８の頭部８１をダルマ孔５Ｂ４の挿脱口５Ｂ４１に挿入することができる。次に、異形天板３に設けられた配線落とし込み用の凹所３Ｄ，３Ｃ等を利用し、その適宜部位を把持して、これを前記中心線方向にスライド移動させる。常に中心線方向に移動させることが好ましいが、段付ピン８とダルマ孔５Ｂ４の間にはクリアランスが存在し、そのクリアランスから多少の蛇行は許容されるため、操作し易ければその許容範囲で図８に矢印で示すようにジグザグに操作して、右側の袖構造体４における係合と左側の袖構造体４における係合とを交互に進行させるようにしてもよい。そして、異形天板３がスライドし得なくなった位置、すなわちスライド終端位置Ｑにまで移動したときに、袖構造体４の正面側からねじ１１Ｂを用いて天板取付部材５Ａの起立片５Ａ４と異形天板３の下面３Ｂに設けた被固定部材１１の垂下片１１Ａとを止着することによって、図８及び図９に示すように異形天板３の支持体２への取り付け作業を完了することができる。
【００２８】
以上のようにして、本実施形態の天板付家具１は、支持体２に平面視Ｌ字形をなす異形天板３を載せ置き、この異形天板３を支持体２に対し相対的にスライド移動させることによって、異形天板３の少なくとも２箇所を支持体２の対応部位に、その間に介在させたスライド係合機構５を介して同時に接続するものであり、異形天板３を支持体２に載せ置く際に、この異形天板３の反使用縁３ｂを背面パネル９に、具体的には反使用縁３ｂを構成する２辺３ｂ１，３ｂ２及びコーナー部を背面パネル９の前面９Ｂとコーナーボックス１０とに当接させることで、異形天板３がスライド始端位置Ｐに位置付けられるように構成したので、無目標に異形天板３の置き場を探ることなく、目視と段付ピン８がダルマ孔５Ｂ４の挿脱口５Ｂ４１に入り込む操作感とによって、異形天板３の載置を始めとする取付作業を簡便に行うことができる。また、フレーム部材７はネジ止め等により袖構造体４とコーナー脚６との間を連結しているため、異形天板３を載せ置く前には２本のフレーム部材７同士がちょうど９０°をなしているとは限らないが、異形天板３を支持体２に載せ置いた際に反使用縁３ｂを背面パネル９に突き当てることで、フレーム部材７同士の連結の歪みを容易に矯正することができる。
【００２９】
また、この実施形態の支持体２の一部に、引出し４Ｅ１，４Ｅ２，４Ｅ３を備えた袖構造体４を採用しているため、異形天板３を安定的に支持して取付作業の安定化を向上させ、同時に家具としての機能も有効に高めることができる。さらに異形天板３を支持体２に載せ置く際にその反使用縁３ｂを突き当てるための位置決め部材として背面パネル９を採用していることから、面同士の当接が可能となり、異形天板３の位置決めを確実に行うことができる。
【００３０】
さらに本実施形態では、スライド係合機構５を、天板３または支持体２の一方に設けた突出部たる段付ピン８と、この段付ピン８を挿入すべく他方に設けた係合孔あるダルマ孔５Ｂ４とを具備し、スライド始端位置Ｐで天板３を支持体２に載せ置いた際に段付ピン８の突出端側をダルマ孔５Ｂ４に挿入し、天板３のスライド終端位置Ｑで段付ピン８をダルマ孔５Ｂ４に上下方向に係り合わせる構造としたため、簡易にして異形天板３の取付作業に係る労力を大幅に軽減できる優れた効果が奏される。そして特に異形天板３のスライド移動方向を、異形天板３の使用縁側３ａ又は反使用縁３ｂ側の内角を二等分する方向に設定したので、異形天板３をその使用縁３ａや反使用縁３ｂを把持して操作する際、Ｌ字形に屈曲したその左右両領域にスライド動作全体を通してバランスよく均等に操作力を与えることができることになり、異形天板３が回転等の作業上好ましくない動作をすることを極力有効に回避して、取付作業及び取付状態の適性化を有効に実現することが可能となる。
【００３１】
以上、本発明の一実施形態について説明したが、各部の具体的な構成は、上述した実施形態のみに限定されるものではない。
【００３２】
例えば、支持要素は、袖構造体４以外に側板や脚構造体等であってもよく、また支持体は支持要素に分割されず全体として一体をなすものであってもよい。また、天板付家具は、内角が９０°の異形天板以外に、例えば１２０°、１３５°の異形天板を使用するものに本発明を適用しても、上記と同等の作業効果を上げることができる。さらに支持体は、必ずしも一対の支持要素に分割されていなくともよい。さらに天板には、上述した平面視Ｌ字形状の異形天板３に限らず、一般的な平面視矩形天板をはじめとして、平面視台形状、五角形状、扇形等の種々の異形天板をも適用することができる。また位置決め部材としては、背面パネルに限らず、支持体から天板の下面よりも上方まで上方に突出するものであれば、フランジや照明器具等の支持用ポール等を利用することも可能である。特に、天板として円形天板や楕円形天板等の平面視無端形状のものを適用する場合には、背面パネルを設けること自体が想定しにくいが、それら天板の縁部のうち二点以上に対応する位置に設けたフランジなどであれば好適な位置決め部材として利用することができる。
【００３３】
その他、各部の具体的構成についても上記実施形態に限られるものではなく、本発明の趣旨を逸脱しない範囲で種々変形が可能である。
【００３４】
【発明の効果】
本発明は、以上に詳述したとおり、天板をスライド移動させて支持体に固定する前に、この天板の縁部を支持体に設けた位置決め部材に当接させることで、天板をスライド始端位置に配置することができるように構成した天板付家具である。このため本発明に寄れば、従来のように手探りで支持体に対して天板を載せ置く位置を探らなくても、目視で確実に天板をスライド始端位置に配置することができるので、天板の取付作業が著しく向上するのみならず、スライドのための機構部品などに損傷を招くことがない優れた天板付家具を提供することができるものである。
【図面の簡単な説明】
【図１】本発明の一実施形態に係る天板付家具を、支持体に異形天板を取り付ける前の状態において示す斜視図。
【図２】同正面図。
【図３】異形天板の下面を係合部材等とともに示す分解斜視図。
【図４】同実施形態の支持要素たる袖構造体を示す平面図。
【図５】同正面図。
【図６】同側面図。
【図７】同実施形態の係合部材をこれに設けられた係合孔たるダルマ孔と突出部たる段付ピンの相互作用と共に示す説明図。
【図８】同実施形態に係る天板付家具を、支持体に異形天板を取り付けた状態において示す平面図。
【図９】同正面図。
【符号の説明】
１…天板付家具
２…支持体
３…天板（異形天板）
３ｂ…反使用縁
４…袖構造体
５…スライド係合機構
５Ｂ４…係合孔（ダルマ孔）
５Ｂ４１…挿脱孔
５Ｂ４２…小孔
５Ｂ４３…小孔
６…コーナー脚
７…フレーム部材
８…突出部（段付ピン）
９…背面パネル
Ｐ…天板（スライド始端位置）
Ｑ…天板（スライド終端位置）
【図１】
2004230082.tif 000003
【図２】
2004230082.tif 000004
【図３】
2004230082.tif 000005
【図４】
2004230082.tif 000006
【図５】
2004230082.tif 000007
【図６】
2004230082.tif 000008
【図７】
2004230082.tif 000009
【図８】
2004230082.tif 000010
【図９】
2004230082.tif 000011